(57)【要約】【課題】紙幣取込口への紙幣の挿入性を向上し、紙幣取込口の視認性を向上し、水の滞留を防止し、紙幣取込口への水や塵埃などの入り込みを防止する。【解決手段】紙幣取込口３１ａの開口下縁部に沿い前面板３Ａから遠ざかるように延在したガイド部３２５を設ける。ガイド部３２５が紙幣取込口３１ａへの紙幣の挿入を案内するので紙幣の挿入性が向上する。ガイド部３２５に傾斜面３２５ａを設けて化粧枠３２の枠内に入り込んだ水を流すことで化粧枠３２内の水の滞留を防ぐ。閉成状態において上方から下方に向けて漸次前面板３Ａから遠ざかり傾斜して開閉蓋３３を設ける。開閉蓋３３の上端から化粧枠３２内に入り込んだ水を開閉蓋３３に伝わらせて紙幣取込口３１ａから遠ざける。このため従来、紙幣取込口３１ａの上側に設けてあった水避けの凸部が不要になって紙幣取込口３１ａの上側から視界を遮るものが除かれるので紙幣取込口３１ａの視認性が向上する。【選択図】        図５
2006023926.tif 000002
【特許請求の範囲】
【請求項１】
紙幣識別装置の紙幣取込口を開口する前面板に設けてあって前記紙幣取込口の周囲を囲む化粧枠と、前記化粧枠に回動可能に設けてあって前記紙幣取込口を覆う閉成状態になる一方で前記紙幣取込口を開放する開成状態になる開閉蓋とを備えた紙幣挿入口において、
前記化粧枠には、前記紙幣取込口の開口下縁部に沿って前記前面板から延在するガイド部が設けてあることを特徴とする紙幣挿入口。
【請求項２】
前記ガイド部には、前記紙幣取込口に沿う位置から延在方向に向かって下方に傾く傾斜面が設けてあることを特徴とする請求項１に記載の紙幣挿入口。
【請求項３】
前記ガイド部には、その延在端に凹所が設けてあることを特徴とする請求項１または２に記載の紙幣挿入口。
【請求項４】
前記ガイド部には、延在方向に沿って上方に突設したリブ片が設けてあることを特徴とする請求項１〜３のいずれか一つに記載の紙幣挿入口。
【請求項５】
前記開閉蓋の下端部は、閉成状態で前記ガイド部の延在端に被さる態様で設けてあり、当該下端部には、前記ガイド部の延在端の底部に回り込む壁部が設けてあることを特徴とする請求項１〜４のいずれか一つに記載の紙幣挿入口。
【請求項６】
紙幣識別装置の紙幣取込口を開口する前面板に設けてあって前記紙幣取込口の周囲を囲む化粧枠と、前記化粧枠に回動可能に設けてあって前記紙幣取込口を覆う閉成状態になる一方で前記紙幣取込口を開放する開成状態になる開閉蓋とを備えた紙幣挿入口において、
前記開閉蓋は、閉成状態において上方から下方に向けて漸次前面板から遠ざかり傾斜して設けてあることを特徴とする紙幣挿入口。
【請求項７】
紙幣識別装置の紙幣取込口を開口する前面板に設けてあって前記紙幣取込口の周囲を囲む化粧枠と、前記化粧枠に回動可能に設けてあって前記紙幣取込口を覆う閉成状態になる一方で前記紙幣取込口を開放する開成状態になる開閉蓋とを備えた紙幣挿入口において、
前記化粧枠には、閉成状態の開閉蓋の両側端縁との間に隙間を生じる溝部が下方に向けて設けてあることを特徴とする紙幣挿入口。
【発明の詳細な説明】
【技術分野】
【０００１】
本発明は、例えば自動販売機などの前面外扉に設けた紙幣挿入口に関するものである。
【背景技術】
【０００２】
従来、自動販売機などにおいて、図８〜図１０に示すように外扉の内側には紙幣識別装置１００が搭載してある。そして、外扉の外側には、紙幣識別装置１００の紙幣取込口１００ａに通じる態様で紙幣挿入口が設けてある。紙幣挿入口は、紙幣識別装置１００の紙幣取込口１００ａの周囲を囲む上下左右枠を有した略矩形状の化粧枠１０２を有している。化粧枠１０２には、紙幣取込口１００ａを覆う開閉蓋１０３が設けてある。開閉蓋１０３は、化粧枠１０２の枠内に設けてあり、その上端が左右枠に対して軸支されて上方に向けて回動可能に設けてある。化粧枠１０２の枠内には、左右枠に渡って凸部１０４が形成してある。凸部１０４は、紙幣取込口１００ａの上側位置に設けてあり、その前面に前下方向に傾斜する斜面１０４ａを有している。開閉蓋１０３は、凸部１０４の斜面１０４ａに沿って前下方向に傾斜した後、ほぼ真下に延在してある。また、化粧枠１０２の下枠には、開閉蓋１０３の下端から指を挿入するための凹部１０５が設けてある。さらに、化粧枠１０２の下枠と開閉蓋１０３との間には、隙間１０６が設けてある。なお、紙幣取込口１００ａは、紙幣識別装置の内部の紙幣Ｍを盗難などから防御するために、自動販売機の前面外扉に設けた板金などによって紙幣Ｍが挿入できる範囲で極力狭い間口にしてある。
【０００３】
このように構成した従来の紙幣挿入口では、開閉蓋１０３を上方に回動することによって紙幣識別装置１００の紙幣取込口１００ａが表出される。そして、紙幣取込口１００ａに紙幣Ｍを差し込むことで紙幣識別装置１００内に紙幣Ｍが取り込まれる。また、開閉蓋１０３は、雨水や塵埃から紙幣取込口１００ａを防御する。なお、開閉蓋１０３の上端側から化粧枠１０２の枠内に雨水が入り込む場合がある。この場合、凸部１０４の斜面１０４ａで雨水を流し、この雨水を下枠と開閉蓋１０３との間に設けた隙間１０６から排出する。
【発明の開示】
【発明が解決しようとする課題】
【０００４】
しかしながら、従来の紙幣挿入口では、紙幣識別装置１００の紙幣取込口１００ａの周囲を化粧枠１０２で囲むだけであるため、紙幣Ｍを挿入するときには、紙幣取込口１００ａに直接紙幣Ｍの縁を差し込むことになる。すなわち、従来の紙幣挿入口は、紙幣Ｍの挿入性が悪いという問題がある。
【０００５】
また、従来の紙幣挿入口では、紙幣取込口１００ａに紙幣Ｍを差し込むときに、凸部１０４が邪魔になって紙幣取込口１００ａが見えなくなる。すなわち、従来の紙幣挿入口は、紙幣取込口１００ａの視認性が悪いという問題がある。
【０００６】
また、従来の紙幣挿入口では、開閉蓋１０３の上端側から化粧枠１０２の枠内に入り込んだ雨水が斜面１０４ａと開閉蓋１０３との間や、化粧枠１０２の下枠の上面に滞留してしまう。このため、紙幣取込口１００ａに紙幣Ｍを差し込むために開閉蓋１０３を回動すると滞留した水が流れ落ちるという問題がある。
【０００７】
また、従来の紙幣挿入口では、開閉蓋１０３の上端側から化粧枠１０２の枠内に入り込んだ雨水を隙間１０６から排出するが、隙間１０６から塵埃が入り込むという問題がある。
【０００８】
本発明は、上記実情に鑑みて、紙幣取込口への紙幣の挿入性を向上することができ、また紙幣取込口の視認性を向上することができ、また水の滞留を防止することができ、また紙幣取込口への水や塵埃などの入り込みを防止することができる紙幣挿入口を提供することを目的とする。
【課題を解決するための手段】
【０００９】
上記の目的を達成するために、本発明の請求項１に係る紙幣挿入口は、紙幣識別装置の紙幣取込口を開口する前面板に設けてあって前記紙幣取込口の周囲を囲む化粧枠と、前記化粧枠に回動可能に設けてあって前記紙幣取込口を覆う閉成状態になる一方で前記紙幣取込口を開放する開成状態になる開閉蓋とを備えた紙幣挿入口において、前記化粧枠には、前記紙幣取込口の開口下縁部に沿って前記前面板から延在するガイド部が設けてあることを特徴とする。
【００１０】
本発明の請求項２に係る紙幣挿入口は、上記請求項１において、前記ガイド部には、前記紙幣取込口に沿う位置から延在方向に向かって下方に傾く傾斜面が設けてあることを特徴とする。
【００１１】
本発明の請求項３に係る紙幣挿入口は、上記請求項１または２において、前記ガイド部には、その延在端に凹所が設けてあることを特徴とする。
【００１２】
本発明の請求項４に係る紙幣挿入口は、上記請求項１〜３のいずれか一つにおいて、前記ガイド部には、延在方向に沿って上方に突設したリブ片が設けてあることを特徴とする。
【００１３】
本発明の請求項５に係る紙幣挿入口は、上記請求項１〜４のいずれか一つにおいて、前記開閉蓋の下端部は、閉成状態で前記ガイド部の延在端に被さる態様で設けてあり、当該下端部には、前記ガイド部の延在端の底部に回り込む壁部が設けてあることを特徴とする。
【００１４】
本発明の請求項６に係る紙幣挿入口は、紙幣識別装置の紙幣取込口を開口する前面板に設けてあって前記紙幣取込口の周囲を囲む化粧枠と、前記化粧枠に回動可能に設けてあって前記紙幣取込口を覆う閉成状態になる一方で前記紙幣取込口を開放する開成状態になる開閉蓋とを備えた紙幣挿入口において、前記開閉蓋は、閉成状態において上方から下方に向けて漸次前面板から遠ざかり傾斜して設けてあることを特徴とする。
【００１５】
本発明の請求項７に係る紙幣挿入口は、紙幣識別装置の紙幣取込口を開口する前面板に設けてあって前記紙幣取込口の周囲を囲む化粧枠と、前記化粧枠に回動可能に設けてあって前記紙幣取込口を覆う閉成状態になる一方で前記紙幣取込口を開放する開成状態になる開閉蓋とを備えた紙幣挿入口において、前記化粧枠には、閉成状態の開閉蓋の両側端縁との間に隙間を生じる溝部が下方に向けて設けてあることを特徴とする。
【発明の効果】
【００１６】
本発明に係る紙幣挿入口は、紙幣取込口の開口下縁部に沿って前面板から延在するガイド部を設けたことにより、当該ガイド部によって紙幣取込口への紙幣の挿入が案内されるので紙幣の挿入性を向上することができる。
【００１７】
ガイド部には、紙幣取込口に沿う位置から延在方向に向かって下方に傾く傾斜面が設けてあって化粧枠の枠内に入り込んだ水を流す。またさらに、ガイド部には、その延在端に凹所が設けてあって雨水を適宜流す。この結果、化粧枠３２の枠内への水の滞留を防ぐことができる。
【００１８】
ガイド部には、延在方向に沿って上方に突設したリブ片が設けてあってガイド部に水が止まっても紙幣が濡れる自体を防ぐことができる。
【００１９】
開閉蓋の下端部は、閉成状態でガイド部の延在端に被さる態様で設けてあり、この下端部には、ガイド部の延在端の底部に回り込む壁部が設けてある。このため、開閉蓋の下端側から化粧枠の枠内への塵埃の入り込みを阻止する。この結果、開閉蓋の下端側から紙幣取込口への塵埃の入り込みを防ぐことができる。
【００２０】
開閉蓋が、閉成状態において上方から下方に向けて漸次前面板から遠ざかり傾斜して設けてある。このため、開閉蓋の上端から化粧枠の枠内に水が入り込んだ場合、開閉蓋に水を伝わらせて紙幣取込口から遠ざける。すなわち、従来、紙幣取込口３１ａの上側に設けてあった水避けの凸部が不要となる。この結果、紙幣取込口への水の入り込みを防ぐとともに、紙幣取込口の上側から視界を遮る構成を除いて紙幣取込口の視認性を向上することができる。
【００２１】
化粧枠は、閉成状態の開閉蓋の両側端縁との間に隙間を生じる溝部が下方に向けて設けてある。溝部は、開閉蓋との間に隙間を生じて水を下方に流す。この結果、開閉蓋の両側端からの紙幣取込口への水や塵埃の入り込みを防ぐことができる。
【発明を実施するための最良の形態】
【００２２】
以下に添付図面を参照して、本発明に係る紙幣挿入口の好適な実施例を詳細に説明する。なお、この実施例によりこの発明が限定されるものではない。
【実施例】
【００２３】
図１は本発明に係る紙幣挿入口を設けた自動販売機の外観を示す正面図、図２は図１に示した自動販売機の内部構造を示す斜視図である。
【００２４】
図１および図２に示すように、自動販売機１は、本体キャビネット２と、本体キャビネット２に開閉可能に支承した外扉３とを有している。外扉３の前面には、透明な電照板４が嵌め込んであり、この電照板４と、外扉３の内側面に開閉可能に取り付けた中扉５とにより、展示室６を画成している。展示室６には、自動販売機１が販売する商品の商品見本７が展示してあり、電照板４には、商品見本と対応するように関連づけた選択ボタン８が配設してある。このため、自動販売機１の利用者は、商品見本７を参照しながら商品の選択が可能となっている。
【００２５】
外扉３における展示室６の近傍には、ハンドル１０、硬貨投入口２０、本発明に係る紙幣挿入口３０、金額表示器４０、返却レバー５０が配設してある。ハンドル１０は、外扉３に内蔵したロック機構（図示せず）に連結してあり、閉塞した外扉３を本体キャビネット２に対して係止した状態を維持する一方、本体キャビネット２に係止した外扉３の係止状態を解除して外扉３を開放可能な状態に移行させるものである。硬貨投入口２０は、外扉３の内側面に配設したコインメカニズム２１と連通し、硬貨を受け入れる部分である。硬貨投入口２０の下方には、コインメカニズム２１から払い出した釣銭や返却硬貨を受容する返却口２２が配設してある。紙幣挿入口３０は、外扉３の内側面に配設したビルバリデータ（紙幣識別装置）３１と連通し、紙幣を受け入れる部分である。紙幣挿入口３０については後述する。ビルバリデータ３１は、紙幣挿入口３０から挿入された紙幣を識別し、正規の紙幣と識別した場合に紙幣を内部に収容する一方、正規の紙幣でないと識別した場合に紙幣挿入口３０から自動販売機１の外部に返却するものである。金額表示器４０は、硬貨投入口２０からコインメカニズム２１に受け入れた硬貨や、紙幣挿入口３０からビルバリデータ３１に受け入れた紙幣の合計金額を表示するものである。なお、販売する商品の価格を超える貨幣が投入された場合には、選択ボタン８の押下が有効となる。返却レバー５０は、販売中止命令を入力する部分である。返却レバー５０によって販売中止命令が入力された場合、受け入れた貨幣および釣銭を返却する。
【００２６】
図３は本発明に係る紙幣挿入口を示す斜視図、図４は図３に示す紙幣挿入口における開閉蓋の開放状態の斜視図、図５は図３に示した紙幣挿入口の側断面図、図６は図３に示した紙幣挿入口における開閉蓋の開放状態の側断面図、図７は図３に示した紙幣挿入口の一部を拡大した斜視図である。
【００２７】
図３〜図６に示すように、紙幣挿入口３０は、化粧枠３２と開閉蓋３３とを備えている。化粧枠３２は、外扉３における前面板３Ａの外側（自動販売機１の外側）に取り付けてある。前面板３Ａには、前面板３Ａの内側（自動販売機１の内側）に設けたビルバリデータ３１の紙幣取込口３１ａを開口する挿入口３Ａａが形成してある。紙幣取込口３１ａは、紙幣Ｍの短辺側から取り込む態様で左右方向に延在する長孔をなし、挿入口３Ａａも同様に紙幣Ｍの短辺側から取り込む態様で左右方向に延在する長孔をなしている。
【００２８】
化粧枠３２は、挿入口３Ａａ（紙幣取込口３１ａ）の周囲を囲む態様で上枠３２１、下枠３２２および左右枠３２３，３２３を有した略矩形状の枠体として形成してある。上下左右枠３２１，３２２，３２３は、プラスチックなどの合成樹脂によって一体に形成してある。左右枠３２３は、化粧枠３２において前方に最も突出して形成してある。また、上下枠３２１，３２２は、左右枠３２３の互いに対向する内面３２３ａの間に渡って形成してある。この化粧枠３２は、前面板３Ａの外側の面に係止され、さらに、図５に示すように上下左右枠３２１，３２２，３２３の外方に延在して形成した外枠部３２４が、前面板３Ａのさらに前側にあるパネル板３Ｂによって押さえられて取り付けられる。
【００２９】
上枠３２１は、前面の上部が左右枠３２３とほぼ同等に前方に突出して形成してあり、そこから下方に向かって漸次前面板３Ａに近接する斜面３２１ａを有している。
【００３０】
下枠３２２には、ガイド部３２５が設けてある。ガイド部３２５は、挿入口３Ａａ（紙幣取込口３１ａ）の開口下縁部に沿って設けてあって前面板３Ａから遠ざかるように延在して形成してある。このガイド部３２５は、挿入口３Ａａ（紙幣取込口３１ａ）の開口下縁部に沿う位置から延在方向に向けて漸次下方に傾斜する傾斜面３２５ａを有している。また、ガイド部３２５は、傾斜面３２５ａの延在方向に沿って傾斜面３２５ａから突設したリブ片３２５ｂを有している。さらに、ガイド部３２５は、その延在端が切り欠かれてなる凹所３２５ｃを有している。図４に示すように本実施例における凹所３２５ｃは、ガイド部３２５の左右両端部分に設けてある。なお、下枠３２２は、ガイド部３２５の底側において、開閉蓋３３における下端の内側に指を挿入する凹部３２２ａが設けてある。
【００３１】
左右枠３２３の各内面３２３ａには、それぞれ段部３２６が対向して突設してある。段部３２６は、上枠３２１と下枠３２２との間で上下に渡って設けてある。この段部３２５は、前面側に向く段面が、前面板３Ａの位置からガイド部３２５の延在端に向けて漸次前面板３Ａから遠ざかるように傾斜して形成してある。そして、図７に示すように段部３２６の段面には、溝部３２６ａが段面の傾斜に沿って設けてある。
【００３２】
開閉蓋３３は、板状体からなり、上枠３２１の下側位置において左右枠３２３の内面３２３ａに渡る軸心の周りに上端が支承してあって前側上方に回動可能に設けてある。この開閉蓋３３は、挿入口３Ａａ（紙幣取込口３１ａ）の前面を覆う閉成状態となるように化粧枠３２の枠内を開閉可能に設けてある。開閉蓋３３は、閉成状態において両側端縁が上記段部３２６の段面に沿う。すなわち、閉成状態の開閉蓋３３は、段部３２６の段面に沿うようにして、上端から下端に向けて漸次前面板３Ａから遠ざかるように傾斜する。なお、開閉蓋３３の閉成状態において溝部３２６ａは、開閉蓋３３の両側端縁との間に隙間を生じている。
【００３３】
また、開閉蓋３３は、閉成状態において、その下端部がガイド部３２５の延在端に被さるように構成してある。そして、開閉蓋３３の下端部には、ガイド部３２５の延在端の底部に回り込む壁部３３１が設けてある。
【００３４】
上記構成の紙幣挿入口３０では、挿入口３Ａａ（紙幣取込口３１ａ）の開口下縁部に沿って設けてあって前面板３Ａから遠ざかるように延在したガイド部３２５を有している。ガイド部３２５は、挿入口３Ａａ（紙幣取込口３１ａ）への紙幣Ｍの挿入を案内する。このため、紙幣Ｍの挿入性が向上する。
【００３５】
ガイド部３２５は、傾斜面３２５ａを有している。傾斜面３２５ａは、化粧枠３２の枠内に入り込んだ水を流す。さらに、ガイド部３２５は、リブ片３２５ｂを有している。リブ片３２５ｂは、傾斜面３２５ａに水が止まっても紙幣Ｍが濡れる自体を防ぐ。またさらに、ガイド部３２５は凹所３２５ｃを有している。凹所３２５ｃは、雨水を適宜流す。この結果、化粧枠３２の枠内への水の滞留を防ぐ。
【００３６】
また、紙幣挿入口３０では、化粧枠３２における左右枠３２３の内面３２３ａに段部３２６を設け、この段部３２６に対して下方に向く溝部３２６ａが設けてある。溝部３２６ａは、開閉蓋３３との間に隙間を生じて水を下方に流す。この結果、開閉蓋３３の両側端からの挿入口３Ａａ（紙幣取込口３１ａ）への水や塵埃の入り込みを防ぐ。
【００３７】
また、紙幣挿入口３０では、開閉蓋３３の上端を化粧枠３２における上枠３２１の下側に設け、かつ、上枠３２１は、前面の上部が左右枠３２３とほぼ同等に前方に突出している。このため、開閉蓋３３の上端から化粧枠３２の枠内への水の入り込みを阻止する。この結果、開閉蓋３３の上端からの挿入口３Ａａ（紙幣取込口３１ａ）への水や塵埃の入り込みを防ぐ。
【００３８】
開閉蓋３３は、閉成状態において上方から下方に向けて漸次前面板３Ａから遠ざかるように傾斜して設けてある。このため、開閉蓋３３の上端から化粧枠３２の枠内に水が入り込んだ場合に、開閉蓋３３の内面に水を伝わらせて挿入口３Ａａ（紙幣取込口３１ａ）から遠ざける。すなわち、従来、挿入口３Ａａ（紙幣取込口３１ａ）の上側に設けてあった水避けの凸部が不要となる。この結果、挿入口３Ａａ（紙幣取込口３１ａ）への水の入り込みを防ぐとともに、挿入口３Ａａ（紙幣取込口３１ａ）の上側から視界を遮る部材を除いて挿入口３Ａａ（紙幣取込口３１ａ）の視認性を向上する。
【００３９】
また、開閉蓋３３は、閉成状態において、その下端部がガイド部３２５の延在端に被さる。この開閉蓋３３の下端部には、ガイド部３２５の延在端の底部に回り込む壁部３３１が設けてある。このため、開閉蓋３３の下端側から化粧枠３２の枠内への塵埃の入り込みを阻止する。この結果、開閉蓋３３の下端側から挿入口３Ａａ（紙幣取込口３１ａ）への塵埃の入り込みを防ぐ。
【図面の簡単な説明】
【００４０】
【図１】本発明に係る紙幣挿入口を設けた自動販売機の外観を示す正面図である。
【図２】図１に示した自動販売機の内部構造を示す斜視図である。
【図３】本発明に係る紙幣挿入口を示す斜視図である。
【図４】図３に示した紙幣挿入口における開閉蓋の開放状態の斜視図である。
【図５】図３に示した紙幣挿入口の側断面図である。
【図６】図３に示した紙幣挿入口における開閉蓋の開放状態の側断面図である。
【図７】図３に示した紙幣挿入口の一部を拡大した斜視図である。
【図８】従来の紙幣挿入口の一例を示す斜視図である。
【図９】図８に示した従来の紙幣挿入口における開閉蓋の閉塞状態の側断面図である。
【図１０】図８に示した従来の紙幣挿入口の側断面図である。
【符号の説明】
【００４１】
１    自動販売機
２    本体キャビネット
３    外扉
３Ａ    前面板
３Ａａ    挿入口
３Ｂ    パネル板
４    電照板
５    中扉
６    展示室
７    商品見本
８    選択ボタン
１０    ハンドル
２０    硬貨投入口
２１    コインメカニズム
２２    返却口
３０    紙幣挿入口
３１    ビルバリデータ
３１ａ    紙幣取込口
３２    化粧枠
３２１    上枠
３２１ａ    斜面
３２２    下枠
３２２ａ    凹部
３２３    左枠，右枠
３２３ａ    内面
３２４    外枠部
３２５    ガイド部
３２５ａ    傾斜面
３２５ｂ    リブ片
３２５ｃ    凹所
３２６    段部
３２６ａ    溝部
３３    開閉蓋
３３１    壁部
４０    金額表示器
５０    返却レバー
Ｍ    紙幣
【図１】
2006023926.tif 000003
【図２】
2006023926.tif 000004
【図３】
2006023926.tif 000005
【図４】
2006023926.tif 000006
【図５】
2006023926.tif 000007
【図６】
2006023926.tif 000008
【図７】
2006023926.tif 000009
【図８】
2006023926.tif 000010
【図９】
2006023926.tif 000011
【図１０】
2006023926.tif 000012